(57)【要約】  【解決手段】  ゴルフクラブシャフトの一端を固定する段階と、ゴルフクラブシャフトの他端の複数個の方位の反作用力を測量する段階と、直線が上記軸心を通過した各二方位の反作用力差の最小者を比較する段階と、ゴルフクラブシャフトの最小反作用力差を有した二方位の垂直方向をゴルフクラブシャフトの打球の方向と見なす段階とを含む方法で構成されている。  【効果】  ゴルフクラブシャフトの各方位の反作用力の測量曲線を迅速に測量することにより、ゴルフクラブシャフトの測量時間を確実に短縮することができると共に、比較的正確な測量を獲得することができるため、打球の性能を高めることができる。【選択図】    図１
2005103159.tif 000002
【特許請求の範囲】
【請求項１】
ａ）ゴルフクラブシャフト（１０）の一端を固定し、ゴルフクラブシャフト（１０）には軸心が設けられると共に、ゴルフクラブシャフト（１０）の周縁には複数個の方位が設けられる段階と、
ｂ）ゴルフクラブシャフト（１０）の他端の複数個の方位においてそれぞれ一個の固定変位を行い、ゴルフクラブシャフト（１０）の他端の複数個の方位の反作用力を測量する段階と、
ｃ）直線が上記軸心を通過した各二方位の反作用力差の最小者を比較する段階と、
ｄ）ゴルフクラブシャフト（１０）の最小反作用力差を有した二方位の垂直方向をゴルフクラブシャフト（１０）の打球の方向と見なす段階と、
を含む、ゴルフクラブの動態平衡測量方法。
【請求項２】
クリップ（２０）を利用してゴルフクラブシャフト（１０）の一端を固定し、クリップ（２０）を回動することができることにより、複数個の方位の反作用力を測量することができることを特徴とする請求項１記載のゴルフクラブの動態平衡測量方法。
【請求項３】
クリップ（２０）には分度器が設けられることを特徴とする請求項２記載のゴルフクラブの動態平衡測量方法。
【請求項４】
パワーセンサー（３０）を利用してゴルフクラブシャフト（１０）の反作用力を測量し、パワーセンサー（３０）には凹欠部（３２）が設けられ、さらにゴルフクラブシャフト（１０）の他端は回動自在に凹欠部（３２）の内部に位置決めされることを特徴とする請求項１記載のゴルフクラブの動態平衡測量方法。
【発明の詳細な説明】
【技術分野】
【０００１】
本発明は、ゴルフクラブの動態平衡測量方法に関するもので、特に静態のパワーセンサーを利用してゴルフクラブシャフトの最小なサイド方向の変位の方位と最良な打球の方向を迅速に判定する方法に係るものである。
【背景技術】
【０００２】
一般として、ゴルフクラブシャフトの動態平衡の特性の優劣はゴルフクラブシャフトの等方性によって決められるものである。例えば、ゴルフクラブシャフトの動態平衡の特性が高ければ高いほど、ゴルフクラブシャフトがスイングをする時における側方向の分力（側方向の変位量）と打球後の余震を沢山減らすことができ、さらにゴルフクラブシャフトの打球の特性（例えば打球の正確度と打球の飛距離）を沢山高めることができるのを意味する。しかし、従来のゴルフクラブシャフトの製造工程において、シャフトが完全に予定された平らな形状になるように、さらに絶対な等方性を有するように確保することができず、特にカーボンにより製成されたシャフトで、そのためにゴルフクラブシャフトの製品は通常としてある程度の非等方性を有しており、そして動態平衡の特性に微少な影響を与えている。上記の問題点を克服するため、業界においては通常としてゴルフクラブシャフトとヘッド本体を組み立てて結合する前、予め上記シャフトの円周上における各方位の非等方性を測量し、そして上記シャフトにおける最少な側方向の分力を有した最良な方位を探し出すことにより、上記シャフトの打球の方向を判定し、さらに上記シャフトの動態平衡の特性の増加に参考として提供することができる。
【０００３】
従来のゴルフクラブの動態平衡測量方法としては、図５、５Ａ、５Ｂを参照すると、振動の方式を利用してゴルフクラブシャフト１０の動態平衡の特性を測量する方法が掲示される。先ず、ゴルフクラブシャフト１０の一端をクリップ２０に固定する。それから、図５、５Ａに示すように、一定の作用力をゴルフクラブシャフト１０の他端の方位Ｐ１に施し、上記作用力が瞬間に除去されると、ゴルフクラブシャフト１０の他端において振動が生じる。振動時において、ゴルフクラブシャフト１０が一定の時間内における振動の回数を記録し、そしてゴルフクラブシャフト１０の振動が直線運動を保っているか否かを目視する。それから、図５、５Ｂに示すように、ゴルフクラブシャフト１０をその他の複数個の方位Ｐ２、Ｐ３、…、Ｐ１２まで回転させて同じ方式により振動を行い、そしてゴルフクラブシャフト１０が一定の時間内における振動の回数を記録し、ゴルフクラブシャフト１０の振動が直線運動を保っているか否かを目視する。測量を終えた後、その振動の周波数と直線の運動性を比較し、例えばヘッド本体１０がＰ２とＰ８の間における振動の周波数が高ければ高いほど、最小な非等方性（すなわち最大な等方性）を有しているのを意味し、そして使用者がゴルフクラブシャフトの方位Ｐ２とＰ８を打球の方向に利用した時、ゴルフクラブシャフトが打球時において最少な側方向の分力が生じ、さらに最良な動態平衡の特性を獲得することができるため、打球の性能を高めることができるようにとしたものがある。
【０００４】
また、従来のゴルフクラブの揺動周期測量器としては、測量器主体および二個のクリップ片の組合せにより構成され。上記測量器主体の内部には周期を運算する機器が設けられ、その運算の結果はモニタにより表示され、上記測量器主体の前端には二個の突出耳が設けられ、後端にはＬ字形の固定片が設けられ、上記固定片はクリップにより挟持して固定され、二個の円錐形のボルトによりグリップの握持点を挟持することにより、ゴルフクラブを握持点を円心にして揺動させ、そしてセンサーによりゴルフクラブが行き来に揺動した周波数を測量することにより、その周期のデータを獲得するようにとしたものがある。（例えば、特許文献１を参照）。
【特許文献１】中華民国專利公報公告番号第３８１７０３号
【発明の開示】
【発明が解決しようとする課題】
【０００５】
上記のような従来のゴルフクラブの動態平衡測量方法においては、業界では広く採用されているが、その測量の方法では比較的時間がかかり、さらにゴルフクラブシャフトが振動時においてシャフトそのものの非等方性の影響を受け、シャフトの振動は単一の自由度に限定することができないため、振動の過程においては直線の運動から段々と回転の運動に形成され、そして目視でヘッド本体が直線の運動を保っているか否かを観察し、このように生じた測量の誤差ではゴルフクラブシャフトの本当の等方性の方位を見出すことができないという問題点があった。このように、上記のような従来のゴルフクラブの動態平衡測量方法をさらに改良しなければならない。
【０００６】
また、上記のような従来のゴルフクラブの揺動周期測量器においては、二個の円錐形のボルトによりグリップの握持点を挟持して固定することができるが、その挟持が安定していないと、微小なずれから誤差が生じてしまうため、正確な周期のデータを獲得することができないという問題点があった。また、二個の円錐形のボルトによりグリップの握持点を挟持して固定しなければならないなど、手間が掛かるため、測量の時間を短縮することができないという問題点があった。このように、上記のような従来のゴルフクラブの動態平衡の測量方法をさらに改良しなければならない。
【０００７】
本発明はこのような問題点に鑑みて発明したものであって、その目的とするところは、ゴルフクラブシャフトの一端の一方位に対して固定の変位を施し、そしてパワーセンサーを利用してゴルフクラブシャフトの反作用力を検知し、さらに上記ゴルフクラブシャフトの各方位に力を施すことにより、各方位の反作用力の測量曲線を迅速に測量することができるため、各１８０°の角度を隔てた二方位の反作用力の差の数値を比較し、上記ゴルフクラブシャフトの最小の側方向の変位の方向と打球の方向を判定することができるため、ゴルフクラブシャフトの測量時間を確実に短縮することができ、さらに比較的よい測量の正確度を獲得し、打球の性能を高めることができるゴルフクラブの動態平衡測量方法を提供しようとするものである。
【０００８】
本発明の第一の目的は、ゴルフクラブシャフトの一端の一方位に対して固定の変位を施し、ゴルフクラブシャフトの各方位の反作用力を測量することにより、ゴルフクラブシャフトの動態平衡の特性を迅速に判定することができるため、動態平衡の特性の測量がさらに正確になるゴルフクラブの動態平衡測量方法を提供しようとするものである。
【０００９】
本発明の第二の目的は、ゴルフクラブシャフトの一端の一方位に対して固定の変位を施し、ゴルフクラブシャフトの各方位の反作用力を測量することにより、ゴルフクラブシャフトの動態平衡の特性を迅速に判定することができるため、測量の時間を短縮することができるゴルフクラブの動態平衡測量方法を提供しようとするものである。
【課題を解決するための手段】
【００１０】
上記目的を達成するために、本発明によるゴルフクラブの動態平衡測量方法は、下記のようになるものである。すなわち、
ゴルフクラブシャフトの一端を固定し、ゴルフクラブシャフトには軸心が設けられると共に、ゴルフクラブシャフトの周縁には複数個の方位が設けられる段階と、ゴルフクラブシャフトの他端の複数個の方位においてそれぞれ一個の固定変位を行い、ゴルフクラブシャフトの他端の複数個の方位の反作用力を測量する段階と、直線が上記軸心を通過した各二方位の反作用力差の最小者を比較する段階と、ゴルフクラブシャフトの最小反作用力差を有した二方位の垂直方向をゴルフクラブシャフトの打球の方向と見なす段階とを含む。
【００１１】
本発明によるゴルフクラブの動態平衡測量方法は、クリップを利用してゴルフクラブシャフトの一端を固定し、クリップを回動することができることにより、複数個の方位の反作用力を測量することもできる。また、クリップには分度器が設けられることもできる。また、パワーセンサーを利用してゴルフクラブシャフトの反作用力を測量し、パワーセンサーには凹欠部が設けられ、さらにゴルフクラブシャフトの他端は回動自在に凹欠部の内部に位置決めされることもできる。
【発明の効果】
【００１２】
本発明のゴルフクラブの動態平衡測量方法によれば、ゴルフクラブシャフトの一端の一方位に対して固定の変位を施し、ゴルフクラブシャフトの各方位の反作用力を測量することにより、ゴルフクラブシャフトの動態平衡の特性を迅速に判定することができるため、動態平衡の特性の測量がさらに正確になるという利点がある。
【００１３】
本発明のゴルフクラブの動態平衡測量方法によれば、ゴルフクラブシャフトの一端の一方位に対して固定の変位を施し、ゴルフクラブシャフトの各方位の反作用力を測量することにより、ゴルフクラブシャフトの動態平衡の特性を迅速に判定することができるため、測量の時間を短縮することができるという利点がある。
【発明を実施するための最良の形態】
【００１４】
本発明の実施の形態について、以下、図面を参照して説明する。
【００１５】
図１は本発明の実施例のゴルフクラブの動態平衡測量方法によるブロック図で、図２は本発明の実施例のゴルフクラブの動態平衡測量方法によるパワーセンサーを利用してゴルフクラブシャフトに対して測量を行う状態を示す図で、図２Ａは本発明の実施例のゴルフクラブの動態平衡測量方法によるパワーセンサーを利用してゴルフクラブシャフトに対して測量を行う状態を示す図で、図２Ｂは本発明の実施例のゴルフクラブの動態平衡測量方法によるパワーセンサーを利用してゴルフクラブシャフトに対して測量を行う状態を示す図で、図３は本発明の実施例のゴルフクラブの動態平衡測量方法によるゴルフクラブシャフトの各方位からの反作用力のデータを取得した測量の曲線図で、図４は本発明の実施例のゴルフクラブの動態平衡測量方法によるゴルフクラブシャフトとヘッドを測量する状態の分解斜視図である。
【００１６】
図１、２を参照すると、本発明の実施例のゴルフクラブの動態平衡測量方法の第一段階は、ゴルフクラブシャフト１０の一端を固定する。本発明において、クリップ２０を利用してゴルフクラブシャフト１０の一端を固定し、上記一端は好ましくはグリップ端であるため、後続の測量の段階を行うことができる。ゴルフクラブシャフト１０には軸方向に沿って一端から他端まで延伸するように軸心が形成され、ゴルフクラブシャフト１０の周縁には複数個の方位Ｐ１からＰ１２が設けられ、上記複数個の方位の数は好ましくは少なくとも１２個で、その数は多ければ多いほど、正確な測量の結果を獲得することができる。他に、いかなる方位から直線に延伸して軸心を通過すると、他方の対応の方位に達することができ、例えばＰ１はＰ７と対応し、Ｐ２はＰ８と対応するなど、以下同様である。クリップ２０には好ましくは回動自在な分度器（図示せず）が設けられ、ゴルフクラブシャフト１０を挟持する時、ゴルフクラブシャフト１０の軸心に従って軸方向へ回動することができる。これにより、ゴルフクラブシャフト１０が軸方向へ回動した時、本発明においてはクリップ２０によりゴルフクラブシャフト１０の各円周の方位（Ｐ１、Ｐ１、Ｐ１…Ｐ１２）を見分けしたり標記したりすることができる。
【００１７】
再び図１、２を参照すると、本発明の実施例のゴルフクラブの動態平衡測量方法の第二段階は、パワーセンサー３０を利用してゴルフクラブシャフト１０の他端における各方位の反作用力を測量する。本発明において、パワーセンサー３０には伸縮桿３１が設けられ、伸縮桿３１には凹欠部３２が形成される。測量を行う時、クリップ２０はゴルフクラブシャフト１０を一方位Ｐ１に位置決めさせ、ゴルフクラブシャフト１０の他端（すなわち打球端）は回動自在に凹欠部３２に位置決めされ、さらに伸縮桿３１は作用力によりゴルフクラブシャフト１０に当接するように形成されるため、ゴルフクラブシャフト１０は弾性的に固定変位Ｄ（固定変形量）として湾曲され、上記作用力の方向は方位Ｐ１からゴルフクラブシャフト１０の軸心を通過してＰ７まで延伸されるため、ゴルフクラブシャフト１０の変位の方向はＰ１からＰ７の線上に保たれ、すなわちゴルフクラブシャフト１０が力を受けてからの変位は自由度の範囲内に保たれる。力学上において、ゴルフクラブシャフト１０は弾性による回復力を有するため、ゴルフクラブシャフト１０にはパワーセンサー３０に与えるための反対方向への反作用力が生じられる。これにより、ゴルフクラブシャフト１０の方位Ｐ１の反作用力の数値を記録し、後続においてゴルフクラブシャフト１０の動態平衡の特性を分析することができる。
【００１８】
図２、２Ｂを参照すると、上記第二段階の方法に従って本発明においてはゴルフクラブシャフト１０が各方位Ｐ１からＰ１２における反作用力を測量することができる。クリップ２０により軸方向へゴルフクラブシャフト１０をその他の方位Ｐ２からＰ１２まで回動させ、そして分度器を利用して必要とする位置まで調整することにより、本発明においては順序に従ってゴルフクラブシャフト１０がその他の方位Ｐ２からＰ１２における反作用力を測量することができる。本発明において静態だけで反作用力の数値を測量することができるため、ゴルフクラブシャフト１０の測量に必要とする時間を有効に短縮することができる。
【００１９】
図１、３を参照すると、本発明の実施例のゴルフクラブの動態平衡測量方法の第三段階は、ゴルフクラブシャフト１０の各方位Ｐ１からＰ１２の反作用力を比較し、ゴルフクラブシャフト１０の最良な動態平衡の方位を決める。図３に示すように、上記第二、第三段階で各方位Ｐ１からＰ１２の反作用力の数値を測量し得た後、各方位Ｐ１からＰ１２までの反作用力と方位によって曲線図が得られた。上記曲線図の分析により、本発明においてゴルフクラブシャフト１０の隣接する１８０°の角度の二方位（例えばＰ１とＰ７、Ｐ２とＰ８、…、Ｐ６とＰ１２）を比較し、そして二対角方位の反作用力の差の大きさを計算することができる。各二対角方位（例えばＰ４とＰ１０）の反作用力の差の数値の絶対値が小さければ、二対角方位の非等方性はますます低くなることを意味するもので、そして二対角方位の動態平衡の特性はますますよくなる。
【００２０】
図１、４を参照すると、本発明の実施例のゴルフクラブの動態平衡測量方法の第四段階は、ゴルフクラブシャフト１０が有した最小な非等方性の方位Ｐ４とＰ１０の垂直方向をゴルフクラブシャフト１０の打球の方向と見なす。例えば、上記二方位Ｐ４とＰ１０は最小な反作用力の差の数値と最小な非等方性を有している。そうすると、上記二方位Ｐ４およびＰ１０と垂直になる他の二方位のＰ１およびＰ７は、後続の製造工程において組み立てようとするゴルフクラブヘッド４０の打球の方向と見なす。すなわち、上記二方位Ｐ１およびＰ７を打球の方向とした時、打球時においてゴルフクラブシャフト１０は方位Ｐ１およびＰ７だけに沿って弾性的に変形し、そして方位Ｐ４およびＰ１０において最少な側方向の分力（側方向変位）が生じることにより、ゴルフクラブシャフト１０は最良な動態平衡の特性を有するように形成されるため、打球の性能（打球の正確度と打球の飛距離）を高めることができる。
【００２１】
さらに、本発明において例えば自動制御システムと適当なホストカードを利用し、クリップ２０の回動、挟持、力の施し、測量および各方位Ｐ１からＰ１２までの反作用力の比較を自動的に制御することができる。これにより、本発明においては人力を節約したり、測量を速めたりすることができると共に、測量の正確性を高めることができる。
【産業上の利用可能性】
【００２２】
上述の如く、図５に示す従来のゴルフクラブの動態平衡測量方法によれば、振動方式を利用してゴルフクラブシャフト１０を測量するのは大変時間がかかると共に、データの分析が大変難しいという問題点があったが、図２に示す本発明のゴルフクラブの動態平衡測量方法によれば、パワーセンサーを利用してゴルフクラブシャフトの最良な動態平衡の方位と最良な打球の方向を迅速に判定することができるため、測量の時間を短縮することができると共に、打球の性能を高めることができ、さらに量産を速めることができる。
【００２３】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２４】
【図１】本発明の実施例のゴルフクラブの動態平衡測量方法によるブロック図である。
【図２】本発明の実施例のゴルフクラブの動態平衡測量方法によるパワーセンサーを利用してゴルフクラブシャフトに対して測量を行う状態を示す図である。
【図２Ａ】本発明の実施例のゴルフクラブの動態平衡測量方法によるパワーセンサーを利用してゴルフクラブシャフトに対して測量を行う状態を示す図である。
【図２Ｂ】本発明の実施例のゴルフクラブの動態平衡測量方法によるパワーセンサーを利用してゴルフクラブシャフトに対して測量を行う状態を示す図である。
【図３】本発明の実施例のゴルフクラブの動態平衡測量方法によるゴルフクラブシャフトの各方位からの反作用力のデータを取得した測量の曲線図である。
【図４】本発明の実施例のゴルフクラブの動態平衡測量方法によるゴルフクラブシャフトとヘッドを測量する状態の分解斜視図である。
【図５】従来のゴルフクラブの動態平衡測量方法によるゴルフクラブシャフトの一方位に対して測量を行う状態を示す図である。
【図５Ａ】従来のゴルフクラブの動態平衡測量方法によるゴルフクラブシャフトの一方位に対して測量を行う状態を示す図である。
【図５Ｂ】従来のゴルフクラブの動態平衡測量方法によるゴルフクラブシャフトの一方位に対して測量を行う状態を示す図である。
【符号の説明】
【００２５】
１０    ゴルフクラブシャフト            ２０    クリップ
３０    パワーセンサー                  ３１    伸縮桿
３２    凹欠部                          ４０    ゴルフクラブヘッド
【図１】
2005103159.tif 000003
【図２】
2005103159.tif 000004
【図２Ａ】
2005103159.tif 000005
【図２Ｂ】
2005103159.tif 000006
【図３】
2005103159.tif 000007
【図４】
2005103159.tif 000008
【図５】
2005103159.tif 000009
【図５Ａ】
2005103159.tif 000010
【図５Ｂ】
2005103159.tif 000011